Podtech/llm-jp-corpus-v4-ja_patent huggingface dataset:
【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
治療液を患者の体内に送達するための、および／または生体検体を感知するためのデバイスとともに用いられる挿入装置において、
少なくとも１つのカニューレカートリッジユニットを中に装填するように適合されたハウジングであって、前記少なくとも１つのカニューレカートリッジユニットの各々は、皮下挿入可能要素および貫通部材を有する少なくとも１つの貫通カートリッジを中に収容する保護部材を備えた、ハウジングと、
作動すると、前記患者の前記身体に向けて前記少なくとも１つの貫通カートリッジを突き出させることができる変位機構とを備え、
前記貫通カートリッジの前記突き出しの結果、少なくとも前記皮下挿入可能要素が前記患者の前記身体内に挿入される挿入装置。
【請求項２】
請求項１に記載の挿入装置において、
前記ハウジングは、前記少なくとも１つのカニューレカートリッジユニットを中に装填するための第１の開口を備えた挿入装置。
【請求項３】
請求項２に記載の挿入装置において、
前記ハウジングは、前記貫通カートリッジを通して突き出させるための第２の開口をさらに備える挿入装置。
【請求項４】
請求項１に記載の挿入装置において、
流体送達および／または検体感知用の前記デバイスは、皮膚接着可能であり、
前記デバイスは、前記挿入装置および前記カニューレカートリッジユニットの少なくとも１つを通して前記デバイスに結合させるための開口を備え、
前記貫通カートリッジは、前記開口を通して突き出される挿入装置。
【請求項５】
請求項１に記載の挿入装置において、
流体送達および／または検体感知用の前記デバイスは、前記患者の前記皮膚に接着可能な輸液セットハブを有する輸液セットを備え、
前記輸液セットハブは、前記挿入装置および前記カニューレカートリッジユニットの少なくとも１つを通して前記輸液セットに結合される輸液セット開口を備え、
前記貫通カートリッジは、前記輸液セットハブの前記開口を通して突き出される挿入装置。
【請求項６】
請求項１に記載の挿入装置において、
流体送達および／または検体感知用の前記デバイスは、前記患者の前記身体に接着可能なクレードルユニットを備え、
前記クレードルユニットは、前記貫通カートリッジを通して突き出させるウェル部分を有し、
前記挿入装置および前記カニューレカートリッジユニットの少なくとも１つは、前記クレードルユニットに結合することができる装置。
【請求項７】
請求項１に記載の挿入装置において、
前記変位機構は、前記貫通カートリッジを前記患者の前記身体の方へ手動で押すための棒である挿入装置。
【請求項８】
請求項１に記載の挿入装置において、
前記変位機構は、前記皮下挿入可能要素を挿入した後に前記貫通部材を引っ込めることができるようにさらに構成された挿入装置。
【請求項９】
請求項１に記載の挿入装置において、
前記変位機構は、前記貫通カートリッジを前記患者の前記身体の方へ強制変位させるための荷重付与可能なばねを備えた挿入装置。
【請求項１０】
請求項８に記載の挿入装置において、
前記貫通部材の前記引き込みは、自動的に実行される挿入装置。
【請求項１１】
請求項１に記載の挿入装置において、
前記変位機構は、前記貫通カートリッジを前記患者の前記身体に向けて変位させて前記患者の前記皮膚をさまざまな角度で貫通できるように適合された挿入装置。
【請求項１２】
請求項１に記載の挿入装置において、
治療液は、インスリンであり、生体検体は、グルコースである挿入装置。
【請求項１３】
請求項１に記載の挿入装置において、
前記変位機構の不用意な作動を防止するための安全手段をさらに備えた挿入装置。
【請求項１４】
請求項１に記載の挿入装置において、
前記変位機構は、
拘束アームを有する解放ボタンと、
ラチェットフライホイールと、
前記ラチェットフライホイール内に少なくとも一部が埋め込まれた荷重付与可能なフライホイールトーションばねと、
前記フライホイールトーションばねに荷重を加えるために前記ラチェットフライホイールに結合することができる手動で回転可能な荷重付与ボタンと、
前記ラチェットフライホイールに結合され、前記フライホイールトーションばねによって回転可能なラチェットクランクと、
少なくとも１つの係止フックを備え、前記ラチェットクランクによって変位可能な挿入レバーとを備え、
前記荷重付与ボタンを前記ラチェットフライホイールに結合し、前記荷重付与ボタンをその後回転させると、前記フライホイールトーションばねに荷重が加えられ、
前記解放ボタンが作動すると、前記解放ボタンの拘束アームが前記ラチェットクランクから外れて、前記ラチェットクランクは前記荷重が加えられたフライホイールトーションばねの力が加えられることにより回転することができ、
前記ラチェットクランクは、前記挿入レバーおよび前記少なくとも１つの係止フックを変位させ、その結果、前記貫通カートリッジが前記患者の前記身体の方へ突き出て、その後、前記貫通部材が引っ込められ、これにより、前記患者の前記身体内に前記皮下挿入可能要素が保持される挿入装置。
【請求項１５】
請求項６に記載の挿入装置において、
前記挿入装置を前記クレードルユニットから解放するための機構をさらに備えた挿入装置。
【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
治療液を患者の体内に送達するための、および／または体内検体を感知するためのデバイスとともに用いられる装置であって、少なくとも１つの皮下挿入可能要素と前記患者の前記皮膚を貫通するための少なくとも１つの貫通部材とを収容するように適合された、装置において、
細長い本体を有する保護部材であって、前記患者の前記皮膚を貫通するために前記皮下挿入可能要素および前記貫通部材が前記細長い本体から突き出され、前記貫通の後に前記貫通部材が前記細長い本体内に引っ込められることにより、前記皮下挿入可能要素が前記患者の前記体内に保持される、保護部材、を備え、
前記患者の前記体内への前記皮下挿入可能要素の挿入を可能にすべく、挿入デバイス内に装填されるように構成された装置。
【請求項２】
請求項１に記載の装置において、
前記保護部材は、異なるサイズおよび形状の皮下挿入可能要素を収容するように構成された装置。
【請求項３】
請求項１に記載の装置において、
前記保護部材は、さらに、把持ハンドルを備えた装置。
【請求項４】
請求項１に記載の装置において、
前記保護部材と、
前記皮下挿入可能要素、および前記患者の前記皮膚を貫通するための前記貫通部材を有する貫通カートリッジとを有する使い捨てカニューレカートリッジユニットをさらに備え、
前記保護部材の前記細長い本体は、前記貫通カートリッジを収納する装置。
【請求項５】
請求項４に記載の装置において、
前記保護部材の前記細長い本体は、下側開口端を備え、
前記貫通カートリッジは、前記下側開口端を通して突き出て前記患者の前記皮膚を貫通する装置。
【請求項６】
請求項５に記載の装置において、
前記貫通部材は、前記下側開口端を通して前記保護部材内に引っ込められる装置。
【請求項７】
請求項５に記載の装置において、
前記保護部材の前記細長い本体は、さらに、前記貫通カートリッジを前記患者の前記身体に向けて突き出させるために前記貫通カートリッジに接近できるようにする少なくとも１つの窓を備え、
前記少なくとも１つの窓は、前記保護部材内に配置された上側開口端および長手方向スリットからなる群から選択される装置。
【請求項８】
請求項４に記載の装置において、
流体送達および／または検体感知用の前記デバイスは、皮膚接着可能であり、
前記デバイスは、前記カニューレカートリッジユニットおよび前記挿入デバイスの少なくとも１つが通って前記デバイスに結合される開口を備え、前記皮下挿入可能要素は、前記開口を通して突き出される装置。
【請求項９】
請求項４に記載の装置において、
流体送達および／または検体感知用の前記デバイスは、輸液セットを備え、
前記輸液セットは、
前記患者の前記皮膚に接着可能な輸液セットハブを有し、前記輸液セットハブは、前記カニューレカートリッジユニットおよび前記挿入デバイスの少なくとも１つが通って前記輸液セットに結合される輸液セットハブ開口を有し、
前記皮下挿入可能要素は、前記輸液セットハブ内の前記開口を通して突き出される装置。
【請求項１０】
請求項４に記載の装置において、
流体送達および／または検体感知用の前記デバイスは、前記患者の前記皮膚に接着可能なクレードルユニットを備え、
前記クレードルユニットは開口を有するウェル部分を有し、
前記カニューレカートリッジユニットおよび前記挿入デバイスの少なくとも１つは、前記ウェル部分に結合され、前記皮下挿入可能要素は、前記ウェル部分内の前記開口を通して突き出される装置。
【請求項１１】
請求項４に記載の装置において、
前記皮下挿入可能要素は、治療液を前記患者の前記身体に送達するように適合されたカニューレであり、前記カニューレカートリッジユニットは、さらに、カニューレハブを備え、
前記カニューレハブは、前記貫通部材を引っ込めた後に前記カニューレを封止するための隔壁を備える装置。
【請求項１２】
請求項１１に記載の装置において、
前記カニューレは、体内検体を感知するための感知手段を備えた装置。
【請求項１３】
請求項４に記載の装置において、
前記皮下挿入可能要素は、体内検体を感知するためのセンサである装置。
【請求項１４】
請求項１に記載の装置において、
治療液は、インスリンであり、体内検体は、グルコースである装置。
【請求項１５】
請求項１０に記載の装置において、
前記保護部材の前記細長い本体の下側開口端は、前記クレードルユニットの前記ウェル部分に固定可能である装置。
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
油、脂質、ワックス、またはそれらの混合物中で懸濁された細胞培養物を含む組成物を製造するための方法であって、以下のステップ：
（ａ）：細胞を含有する多孔質粒子を含む細胞培養物と、油、脂質、ワックス、またはそれらの混合物を含む材料とを混合し；
（ｂ）：前記懸濁液上で真空を形成し；そして
（ｃ）：前記懸濁液上の真空を解除すること
を含み、ここで、前記細胞が乳酸菌（ＬＡＢ）であり、好ましくは、前記乳酸菌がラクトバチルス（Ｌａｃｔｏｂａｃｉｌｌｕｓ）種であり、そして細胞培養物を含む前記組成物が、１ｇの組成物あたり少なくとも１０6コロニー形成単位（ＣＦＵ）の生細胞数を有する、前記方法。
【請求項２】
前記真空ステップ（ｂ）以前に気体によって占められていた、前記細胞を含有する多孔質粒子内の相当量の空間が、油、脂質、ワックス、またはそれらの混合物で占められることによって特徴付けられる、油、脂質、ワックス、またはそれらの混合物中で懸濁された細胞培養物を含む組成物を得るために、以下のステップ：
（ａ）：細胞を含有する多孔質粒子を含む細胞培養物を、油、脂質、ワックス、またはそれらの混合物を含む材料中に混合して懸濁液を得；
（ｂ）：前記多孔質粒子中に存在する、好適な量の気体を前記懸濁液から除去するために、前記懸濁液上で真空を形成し；そして
（ｃ）前記懸濁液上の真空を解除して、前記粒子を覆う油、脂質、ワックス、またはこれらの混合物が、前記多孔質粒子へと入り込み、それにより真空ステップ（ｂ）以前に気体で占められていた前記粒子中の空間の好適な量を占めること；
を含む、油、脂質、ワックス、またはそれらの混合物中で懸濁された細胞培養物を含む組成物を製造するための請求項１に記載の方法。
【請求項３】
前記ステップ（ａ）の、細胞を含有する多孔質粒子を含む細胞培養物が、粉末形態の凍結乾燥培養物である、請求項１〜２のいずれか一項に記載の方法。
【請求項４】
前記ステップ（ａ）の細胞培養物と混合されるべき材料が、油、好ましくは：ヘーゼルナッツ油、オリーブ油、サクラソウ油、カボチャ油、米糠油、大豆油、トウモロコシ油、およびヒマワリ油からなる群から選択される植物油である、請求項１〜３のいずれか一項に記載の方法。
【請求項５】
視認できる塊が前記懸濁液中で検出されなくなるまで、前記ステップ（ａ）の混合物が撹拌される、請求項１〜４のいずれか一項に記載の方法。
【請求項６】
前記ステップ（ａ）の懸濁液が、５〜４０％の前記細胞培養物、および６０〜９５％の前記関連材料を含み、そして２つの構成成分である細胞培養物と関連材料の合計が前記懸濁液の少なくとも９５％に達する、請求項１〜５のいずれか一項に記載の方法。
【請求項７】
前記懸濁液から抜ける気泡がほとんど存在しなくなるまで、前記ステップ（ｂ）の真空処理が維持される、請求項１〜６のいずれか一項に記載の方法。
【請求項８】
目的の粘度を有する組成物を得るために、前記真空解除ステップ（ｃ）の後に増粘剤が前記組成物に添加される、請求項１〜７のいずれか一項に記載の方法。
【請求項９】
前記ステップ（ｃ）の後に得られる細胞培養物を含む組成物が、好適なカプセル中に充填される、請求項１〜８のいずれか一項に記載の方法。
【請求項１０】
前記ステップ（ｃ）の後に得られる細胞培養物を含む組成物が、シリアルの表面上に噴霧される、請求項１〜９のいずれか一項に記載の方法。
【請求項１１】
請求項１〜１０のいずれか一項に記載の方法によって得られる組成物。
【請求項１２】
ビフィドバクテリウム（Ｂｉｆｉｄｏｂａｃｔｅｒｉｕｍ）株、および植物油を含む、請求項１１に記載の組成物。
【請求項１３】
ＢＢ−１２（登録商標）株、ならびに：ヘーゼルナッツ油、オリーブ油、サクラソウ油、カボチャ油、米糠油、大豆油、トウモロコシ油、およびヒマワリ油からなる群から選択される植物油を含む、請求項１１または１２に記載の組成物。
【請求項１４】
請求項１１〜１３のいずれか一項に記載の組成物を含む食品生産物。
【請求項１５】
請求項１１〜１３のいずれか一項に記載の組成物を含む食品添加物、または飼料添加物。
【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
標的に結合するモジュラー抗体ドメインのオリゴマーを製造する方法において：
ａ）モジュラー抗体ドメインのオリゴマーのライブラリを提供し、その際、標的及びスカフォールドリガンドと結合するモジュラー抗体ドメインのオリゴマーをディスプレイする遺伝子パッケージが、
ｉ）遺伝子パッケージを提供し、かつ、
ｉｉ）少なくとも２種のドメインを前記パッケージの外表面に融合によりディスプレイすることを含む、方法によって製造され、
ｂ）前記スカフォールドリガンドの存在下で、前記ライブラリと前記標的とを接触させ、ｃ）前記スカフォールドリガンドの存在下で、前記標的と結合するライブラリ要素を選択し、かつ、
ｄ）機能的オリゴマーを製造する、
工程を含む、標的に結合するモジュラー抗体ドメインのオリゴマーを製造する方法。
【請求項２】
前記ライブラリが、機能的オリゴマーを発現する少なくとも１０２個の独立したクローンを含有する、請求項１に記載の方法。
【請求項３】
前記オリゴマーが、Ｆｃフラグメントであり、かつスカフォールドリガンドがエフェクター分子、ＦｃＲｎ、血清アルブミン、プロテインＡ、プロテインＧ、プロテインＬ又はＣＤＲ標的から成る群から選択される、請求項１又は２に記載の方法。
【請求項４】
エフェクター分子が、ＣＤ６４、ＣＤ１６、ＣＤ３２及びＦｃレセプターから成る群から選択される、請求項３に記載の方法。
【請求項５】
前記機能性オリゴマーが、Ｋｄ＜１０−８Ｍの標的抗原結合アフィニティーを有する、請求項１から４までのいずれか１項に記載の方法。
【請求項６】
前記標的が、ｅｒｂＢクラスのレセプターである、請求項１から５までのいずれか１項に記載の方法。
【請求項７】
モジュラー抗体のアフィニティーを、アフィニティー突然変異によって増加させる、請求項１から６までのいずれか１項に記載の方法。
【請求項８】
モジュラー抗体のアフィニティー突然変異による変異体が得られ、この変異体が、前記標的との結合アフィニティーの少なくとも１０倍の増加を示す、請求項１から７までのいずれか１項に記載の方法。
【請求項９】
モジュラー抗体ドメインの機能性オリゴマーを発現する、スカフォールドリガンドの存在下で、そのスカフォールドリガンド結合部位に対して同標的抗体と結合する、少なくとも１０２個の独立したクローンを含有するライブラリ。
【請求項１０】
前記スカフォールドリガンドの存在下で、前記標的抗原に対して結合するモジュラー抗体ドメインのオリゴマーのアミノ酸変異によって得ることが可能な、請求項９に記載のライブラリ。
【請求項１１】
機能性結合物質が、ランダム又は部位特異的突然変異によって変異する、請求項１０に記載のライブラリ。
【請求項１２】
結合物質のアフィニティー変異されたプールである、請求項９から１１までのいずれか１項に記載のライブラリ。
【請求項１３】
少なくとも２０％の結合物質が、エフェクター分子、ＦｃＲｎ及びタンパク質Ａから成る群から選択されたスカフォールドリガンドと結合する、Ｆｃライブラリである、請求項９から１２までのいずれか１項に記載のライブラリ。
【請求項１４】
結合物質が、ＣＤ６４、ＣＤ１６、ＣＤ３２及びＦｃレセプターから成る群から選択されたエフェクター分子と結合する、請求項１３に記載のライブラリ。
【請求項１５】
酵母又はファージディスプレイライブラリである、請求項９から１４までのいずれか１項に記載のライブラリ。
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
配列番号１の核酸配列のコード領域および配列番号１の核酸配列のコード領域に対して少なくとも９０％の配列同一性を有する核酸配列から成る群から選択された、ヒト卵胞刺激ホルモン（ＦＳＨ）のβ鎖をコードする核酸配列を有する核酸分子。
【請求項２】
宿主細胞において活性なプロモータに制御される請求項１に記載の第１の核酸配列を有する組換え核酸分子。
【請求項３】
配列番号２の核酸配列のコード領域および配列番号２の核酸配列のコード領域に対して少なくとも８５％の配列同一性を有する核酸配列から成る群から選択された、ヒト卵胞刺激ホルモン（ＦＳＨ）のα鎖をコードする第２の核酸配列をさらに有する請求項２に記載の組換え核酸分子。
【請求項４】
配列番号３で示された核酸配列のコード領域、および配列番号３で示された核酸配列のコード領域と少なくとも７０％の配列同一性を有する核酸配列から成る群から選択された第２の核酸配列をさらに含む請求項２に記載の組換え核酸分子。
【請求項５】
第２の核酸配列が別のプロモータに制御される請求項３または４に記載の組換え核酸分子。
【請求項６】
第１の核酸配列および第２の核酸配列のうちの少なくとも一方がウイルスプロモータに制御される請求項２〜５のいずれか一項に記載の組換え核酸分子。
【請求項７】
第１の核酸配列がＳＶ４０プロモータに制御されるか、または第２の核酸配列がＣＭＶプロモータに制御される請求項６に記載の組換え核酸分子。
【請求項８】
配列番号７の核酸配列を有する請求項２〜７のいずれか一項に記載の組換え核酸分子。
【請求項９】
請求項３〜８のいずれか一項に記載の組換え核酸分子を含む宿主細胞。
【請求項１０】
哺乳動物細胞である請求項９に記載の宿主細胞。
【請求項１１】
チャイニーズハムスター卵巣（ＣＨＯ）細胞である請求項９または１０に記載の宿主細胞。
【請求項１２】
寄託番号ＤＳＭ  ＡＣＣ２８３３を有する請求項９〜１１のいずれか一項に記載の宿主細胞。
【請求項１３】
請求項２に記載の第１の組換え核酸分子と、
配列番号２の核酸配列のコード領域、配列番号２の核酸配列のコード領域に対して少なくとも８５％の配列同一性を有する核酸配列、および配列番号３に示される核酸配列から成る群から選択された、ヒト卵胞刺激ホルモン（ＦＳＨ）のα鎖をコードする核酸配列を含む第２の組換え核酸分子と、を有する宿主細胞。
【請求項１４】
適切な培地中の、請求項９〜１３のいずれか一項に記載の宿主細胞を含む細胞培養物。
【請求項１５】
組換えヒトＦＳＨを生産する方法であって、
適切な培養培中で、請求項９〜１３のいずれか一項に記載の宿主細胞を培養する工程；
細胞培養上清を採取する工程からなる方法。
【請求項１６】
細胞培養上清を組換えヒトＦＳＨから精製する工程をさらに含む請求項１５に記載の方法。
【請求項１７】
請求項３〜８のいずれかに記載の組換え核酸分子によって、無血清条件下で懸濁培養中の細胞をトランスフェクトする工程を含む、請求項９〜１６のいずれか一項に記載の宿主細胞を生産する方法。
【請求項１８】
請求項１３に記載の宿主細胞を生産する方法であって、
請求項２に記載の第１の組換え核酸分子と、配列番号２の核酸配列のコード領域、配列番号２の核酸配列のコード領域に対して少なくとも８５％の配列同一性を有する核酸配列、および配列番号３に示される核酸配列から成る群から選択された、ヒト卵胞刺激ホルモン（ＦＳＨ）のα鎖をコードする核酸配列を含む第２の組換え核酸分子とにより、無血清条件下で懸濁培養中の細胞をトランスフェクトさせる工程を含む方法。
【請求項１９】
ヒト組換えＦＳＨの生産のための、配列番号１および配列番号２の少なくとも一方に記載の核酸配列の使用方法。
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
長手方向軸を有し、第１フィルターエレメントを任意に有する、生物学的液体を保持するための分離室を区画する主格納部、
前記分離室に連通するフィルター格納部、
前記フィルター格納部が保持する第２フィルターエレメント、および
前記分離室の流出部から前記フィルター格納部の流入部にまでの流路を有する液体濃縮装置であって、
前記流路は、流路の長さが前記長手方向軸に沿って前記流出部の位置に応じて変化するように、前記分離室は長手方向軸に沿って前記流出部の位置を変えて長さを調節可能であり、
前記第１フィルターエレメントまたは前記第２フィルターエレメントは、アフィニティー膜、アフィニティー担体、アフィニティーカラム、充填床マトリックス、ビーズ、粒子、増殖マトリックス、または管状部をもつ複数のフィルターストランドからなるフィルター膜を有することを特徴とする液体濃縮装置。
【請求項２】
（ａ）前記流路をもつ液体連通における調節可能な流量制御バルブ、
（ｂ）前記分離内のバルブ開口軸に連結したバルブ調節つまみであって、前記バルブ開口軸は前記流出部を有し、前記バルブ開口軸を回転することで前記分離室の長手方向軸に沿って流出部の高さを変える、バルブ調節つまみ、
（ｃ）前記分離室に前記生物学的液体を導入するポート、
（ｄ）前記第１または第２フィルターエレメントを通した前記生物学的液体の層またはフラクションに圧力を加えるための１つ以上のポート、
（ｅ）前記第１または第２フィルターエレメントを通した前記生物学的液体の分離したフラクションまたは層に圧力を加えるための１つ以上のポート対する位置を変えて移動設置可能なポンプ、および
（ｆ）前記第１または第２フィルターエレメントの長手方向の液流方向に沿って設置された濃度検出器を有することを特徴とする、請求項１に記載の液体濃縮装置。
【請求項３】
前記ポンプが、シリンジまたは貯水槽を有する真空ポンプであり、前記濃度検出器が光散乱フローセル、吸光度セル、または分光側色計を有することを特徴とする、請求項２に記載の液体濃縮装置。
【請求項４】
前記第１または第２フィルターエレメントが１つ以上のリガンドを有することを特徴とする、請求項１乃至請求項３のいずれか１項に記載する液体濃縮装置。
【請求項５】
リガンドが受容体または抗体であることを特徴とする、請求項４に記載の液体濃縮装置。
【請求項６】
１つ以上の増殖因子、１つ以上の分化因子、１つ以上の走化性因子、１つ以上の接着分子、またはそれらの因子の組み合わせに、前記リガンドが１つ以上結合することを特徴とする、請求項４または請求項５に記載の液体濃縮装置。
【請求項７】
前記増殖マトリックスが、１つ以上のナノファイバーのネットワークと；ナノファイバー構造体と；エッチングまたはマイクロパターニングした表面をもつガラス、シリコンまたはプラスチックと；マクロポアもしくはナノポアをもつガラス、シリコンまたはプラスチック表面と、ポリマースキャホールド、成形スキャホールド、織物状または網状織物、棒、ねじ、ワイヤ、メッシュ、またはかごを有することを特徴とする、請求項１乃至請求項３のいずれか１項に記載の液体濃縮装置。
【請求項８】
前記分離室内の前記生物学的液体が、前記液体濃縮装置に分離力を加えると前記分離室の長手方向軸に沿って複数の成分層に分離するように、前記液体濃縮装置に分離力を加えることができるように前記液体濃縮装置が構成されることを特徴とする、請求項１または請求項２に記載の液体濃縮装置。
【請求項９】
前記分離力は通常前記長手方向軸に平行であることを特徴とする、請求項８に記載の液体濃縮装置。
【請求項１０】
前記生物学的液体が、分離力を加えたときに前記長手方向軸に直交する複数の成分層に分離することを特徴とする、請求項８に記載の液体濃縮装置。
【請求項１１】
前記分離力は遠心分離力からなることを特徴とする、請求項８乃至請求項１０のいずれか1項に記載される液体濃縮装置。
【請求項１２】
前記生物学的液体が体液または組織を有する体液であることを特徴とする、請求項１１乃至請求項１１のいずれか１項に記載される液体濃縮装置。
【請求項１３】
前記体液が、血液、血漿、血清、尿、唾液、粘液、脳脊髄液、リンパ液、精液、羊水、または硝子体液、および前記組織が、骨、骨髄、筋組織、脳、心臓、肝臓、肺、胃、小腸、大腸、直腸、子宮、精巣、軟骨、軟組織、皮膚、皮下組織、または乳組織を有することを特徴とする、請求項１２に記載の液体濃縮装置。
【請求項１４】
濃縮生物学的液体を製造する方法であって、
請求項１の前記液体濃縮装置の前記分離室で生物学的液体を分離して１つ以上の層を形成する工程と、
前記液体濃縮装置の前記分離室から分離した生物学的液体の第１の層を取り出す工程と、
前記液体濃縮装置の前記第２フィルターエレメントに前記層を通すことによって、前記取り出した層をろ過する工程からなる濃縮生物学的液体を製造する方法。
【請求項１５】
前記取り出した層の中にある１つ以上の成分の比が、前記生物学的液体中にある同じ１つ以上の成分の生理学的比と実質的に同じであることを特徴とする、請求項１４に記載の製造方法。
【請求項１６】
生物学的液体からタンパク質を濃縮する方法であって、
請求項１に記載の前記液体濃縮装置の前記分離室で生物学的液体を分離して１つ以上の層を形成する工程と、
前記液体濃縮装置の前記分離室から前記タンパク質を有する前記生物学的液体のフラクションを取り出す工程と、
前記液体濃縮装置の前記第２フィルターエレメントに前記層を通すことによって、分離した生物学的液体の前記取り出したフラクションをろ過する工程からなる濃縮方法。
【請求項１７】
細胞または組織を培養する濃縮する方法であって、
請求項１の前記液体濃縮装置の前記分離室で生物学的液体を分離して１つ以上の層を形成する工程と、
前記液体濃縮装置の前記分離室から分離した前記生物学的液体中の細胞の第１層を取り出す工程と、
前記液体濃縮装置の前記第２フィルターエレメントに前記取り出した細胞層を通す工程からなり、
前記フィルターエレメントは増殖マトリックスを有し、細胞を濃縮したフラクションを前記増殖マトリックスに接種することを特徴とする工程からなる濃縮方法。
【請求項１８】
分離方法が遠心分離法または重力による分離法を含むことを特徴とする請求項１４乃至請求項１７のいずれか１項に記載される方法。
【請求項１９】
請求項１４または請求項１５に記載の方法で製造した濃縮生物学的液体中にある移植材料を再構築する工程を有し、
前記移植材料が合成、オートゲニック、アロゲニック、またはゼノゲニックな材料であり、腱、靱帯、骨、軟骨、または皮膚から選ばれることを特徴とする再構築方法。
【請求項２０】
前記生物学的液体が体液または組織を有する体液であることを特徴とする、請求項１４から請求項１９の任意の１項に記載される方法。
【請求項２１】
前記体液が、血液、血漿、血清、尿、唾液、粘液、脳脊髄液、リンパ液、精液、羊水、または硝子体液を有し、および前記組織が、骨、骨髄、筋組織、脳、心臓、肝臓、肺、胃、小腸、大腸、直腸、子宮、精巣、軟骨、軟組織、皮膚、皮下組織、または乳組織を有することを特徴とする、請求項２０の方法。
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
細胞に導入された場合に、MYBL2、UBE2T、C14orf78およびUBE2Sからなる群から選択されるCX遺伝子の発現と該CX遺伝子を発現する細胞の細胞増殖とを阻害する、単離された二本鎖核酸分子であって、SEQ ID NO: 54、52、51、53、57、47から50、および55から56から成る群から選択される配列を標的とする、単離された二本鎖核酸分子。
【請求項２】
SEQ ID NO: 54、52、51、53、57、47から50、および55から56から成る群から選択される標的配列に一致する配列を含むセンス鎖を有する、請求項１記載の単離された二本鎖核酸分子。
【請求項３】
約19から約25ヌクレオチドの間の長さを有する、請求項２記載の二本鎖核酸分子。
【請求項４】
介在性一本鎖によって結合したセンス鎖とアンチセンス鎖を両方含む単一のポリヌクレオチドから成る、請求項１記載の二本鎖核酸分子。
【請求項５】
一般式5'-[A]-[B]-[A']-3'を有する二本鎖核酸分子であって、[A]がSEQ ID NO: 54、52、51、53、57、47から50、および55から56から成る群から選択される標的配列に一致する配列を含むセンス鎖であり、[B]が3から23ヌクレオチドから成る介在性の一本鎖であり、かつ[A']が[A]と相補的な配列を含むアンチセンス鎖である、請求項４記載の二本鎖核酸分子。
【請求項６】
3’オーバーハングを含む、請求項１記載の二本鎖核酸分子。
【請求項７】
請求項１記載の二本鎖核酸分子を発現するベクター。
【請求項８】
二本鎖核酸分子が、一般式5'-[A]-[B]-[A']-3'を有し、[A]がSEQ ID NO: 54、52、51、53、57、47から50、および55から56から成る群から選択される標的配列に一致する配列を含むセンス鎖であり、[B]が3から23ヌクレオチドから成る介在性の一本鎖であり、かつ[A']が[A]と相補的な配列を含むアンチセンス鎖である、請求項７記載のベクター。
【請求項９】
CX遺伝子を過剰発現する細胞でCX遺伝子の発現を阻害する少なくとも一つの精製された二本鎖核酸分子を含む、癌を治療するための組成物であって、CX遺伝子がMYBL2、UBE2T、C14orf78およびUBE2Sからなる群から選択され、二本鎖核酸分子がSEQ ID NO: 54、52、51、53、57、47から50、および55から56から成る群から選択される配列を標的とする、組成物。
【請求項１０】
二本鎖核酸分子がSEQ ID NO: 54、52、51、53、57、47から50、および55から56から成る群から選択される標的配列に一致する配列を含むセンス鎖を有する、請求項９記載の組成物。
【請求項１１】
治療される癌が以下から成る群から選択される、請求項９記載の組成物：
(i) 選択されたCX遺伝子がC14orf78である場合、膵臓癌、胆管細胞癌および非小細胞肺癌、
(ii) 選択されたCX遺伝子がMYBL2である場合、膵臓癌、非小細胞肺癌、小細胞肺癌、膀胱癌、食道癌および精巣精上皮腫、
(iii) 選択されたCX遺伝子がUBE2Sである場合、膵臓癌、乳癌、胆管細胞癌、前立腺癌、小細胞肺癌、膀胱癌および大腸癌、
(iv) 選択されたCX遺伝子がUBE2Tである場合、乳癌、非小細胞肺癌、小細胞肺癌、膀胱癌、胆管細胞癌、前立腺癌および食道癌。
【請求項１２】
組成物が二本鎖核酸分子を一つ以上含む、請求項９記載の組成物。
【請求項１３】
二本鎖核酸分子が約19から約25ヌクレオチドの長さを有する、請求項１０記載の組成物。
【請求項１４】
二本鎖核酸分子が介在性一本鎖により結合したセンス鎖とアンチセンス鎖を含む単一のポリヌクレオチドから成る、請求項９記載の組成物。
【請求項１５】
二本鎖核酸分子が一般式5'-[A]-[B]-[A']-3'を有し、[A]がSEQ ID NO: 54、52、51、53、57、47から50、および55から56から成る群から選択される標的配列に一致する配列を含むセンス鎖配列であり、[B]が3から23ヌクレオチドから成る介在性の一本鎖であり、かつ[A']が[A]と相補的な配列を含むアンチセンス鎖である、請求項１４記載の組成物。
【請求項１６】
二本鎖核酸分子が3’オーバーハングを含む、請求項９記載の組成物。
【請求項１７】
二本鎖核酸分子がベクターによってコードされ、組成物に含まれる、請求項９記載の組成物。
【請求項１８】
二本鎖核酸分子が一般式5'-[A]-[B]-[A']-3'を有し、[A]がSEQ ID NO: 54、52、51、53、57、47から50、および55から56から成る群から選択される標的配列に一致する配列を含むセンス鎖であり、[B]が3から23ヌクレオチドから成る介在性の一本鎖であり、かつ[A']が[A]と相補的な配列を含むアンチセンス鎖である、請求項１７記載の組成物。
【請求項１９】
組成物がトランスフェクション促進剤と薬学上許容される担体を含む、請求項９記載の組成物。
【手続補正２】
【補正対象書類名】明細書
【補正対象項目名】００７７
【補正方法】変更
【補正の内容】
【００７７】
本発明において、その発現レベルを抑制することによって細胞成長または細胞増殖の阻害効果が誘導されるCX遺伝子が同定される。該遺伝子を発現する細胞の細胞増殖は、これらの遺伝子発現を抑制することによって阻害され得る。本発明によるCX遺伝子は以下のいくつかの癌で上方制御されていることが報告された。
C14orf78
膵臓癌(WO2004/31412)
MYBL2
膀胱癌 (WO2006/085684)
食道癌 (WO2007/013671)
NSCLC (WO2004/031413)
膵臓癌 (WO2004/31412)
SCLC (WO2007/013665)
精巣精上皮腫(WO2004/031410)
UBE2S
膀胱癌 (WO2006/085684)
乳癌 (WO2005/028676)
膵臓癌 (WO2004/31412)
前立腺癌 (WO2004/031414)
SCLC (WO2007/013665)
UBE2T
膀胱癌 (WO2006/085684)
乳癌 (WO2005/028676)
食道癌 (WO2007/013671)
NSCLC (WO2004/031413)
SCLC (WO2007/031413)
したがって、好ましい態様において、本発明はC14orf78、MYBL2、UBE2S、およびUBE2Tから成る群から選択されるCX遺伝子の阻害によってこれらの癌を治療または予防する方法を提供する。
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
医薬品の動的濾過装置であって、
医薬品を含む混合物の１種以上の成分を選択的に保持するように構成された樹脂であって、該混合物の媒質によって活性化されるように構成された樹脂と、
上記樹脂に隣接して配置された位置決め材であって、上記樹脂を少なくとも部分的に適所に保持すべく樹脂を機械的に支持するように構成された１以上の位置決め材と、
前記樹脂と位置決め材とを収容する濾過体と
を備える装置。
【請求項２】
前記樹脂が表面改質に適しており、表面改質が非極性官能基又は非極性官能基と極性官能基との組合せを含む、請求項１記載の装置。
【請求項３】
前記混合物の媒質が水性媒質を含んでおり、該水性媒質が中性媒質、塩基性媒質又は酸性媒質を含んでおり、前記水性媒質が、酸性から塩基性へと、塩基性から酸性へと、中性ｐＨから酸性又は塩基性へと、或いは酸性又は塩基性から中性ｐＨへと動的に変化する、請求項１記載の装置。
【請求項４】
前記位置決め材がフリット、膜、繊維床、スクリーン、支持体又はこれらの組合せからなる、請求項１記載の装置。
【請求項５】
前記位置決め材が、医薬品を含む混合物の１種以上の成分を保持するように構成されている、請求項１記載の装置。
【請求項６】
当該装置が、医薬品を含む混合物中で溶解度が経時的に変化する化学種を保持するように構成されている、請求項１記載の装置。
【請求項７】
前記樹脂が、前記混合物の媒質によってその場で活性化されるように構成されている、請求項１記載の装置。
【請求項８】
当該装置が使用前に滅菌される、請求項１記載の装置。
【請求項９】
前記位置決め材が、前記樹脂の片側又は両側の混合物の流れが流れる方向に配置されている、請求項１記載の装置。
【請求項１０】
医薬品を含む混合物を複数の流れに一時的に分配するディフューザーをさらに備える、請求項１記載の装置。
【請求項１１】
患者に投与すべき医薬品の濾過システムであって、当該システムが、
濾過体と、
濾過体内部に配置された樹脂であって、該樹脂をその場で活性化するように構成された媒質を含む医薬品の混合物を濾過するように構成された樹脂と、
上記濾過体内部で樹脂を支持するように構成された位置決め材と
を備える濾過装置を含んでおり、該濾過装置が医薬品の混合物の可溶性化学種及び不溶性化学種を共に濾過するように構成されている、システム。
【請求項１２】
複数の装置が直列に配置されている、請求項１１記載のシステム。
【請求項１３】
未精製医薬品の濾過方法であって、
緩衝剤と、キレート剤と、酸性媒質又は塩基性媒質又は中性媒質の１種を未精製医薬品と混合して濾過混合物を形成し、
上記濾過混合物を濾過装置に通す
ことを含んでなる方法。
【請求項１４】
前記未精製医薬品がピルビン酸と電子常磁性物質を含む、請求項１３記載の方法。
【請求項１５】
前記未精製医薬品が部分的に不溶性の化学種を含んでおり、前記濾過装置の樹脂及び位置決め材の少なくとも一方が上記不溶性化学種を保持する、請求項１３記載の方法。
【請求項１６】
前記未精製医薬品が可溶性化学種及び不溶性化学種を共に含んでおり、位置決め材及び樹脂の少なくとも一方が不溶性化学種を保持し、樹脂が可溶性化学種を保持する、請求項１３記載の方法。
【請求項１７】
前記濾過装置における混合物の流速が３〜１２ｍＬ／ｓである、請求項１３記載の方法。
【請求項１８】
前記樹脂の細孔径が６０〜４０００Åの範囲内にある、請求項１３記載の方法。
【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
眼科用装置を保管するための包装システムであって、（a）常に正電荷である中心を有する両性イオン性モノマーと（b）親水性の非イオン性エチレン型不飽和モノマーとを含むモノマー混合物から得られた重合生成物を含むパッケージング水溶液に浸された未使用の１つ以上の眼科用装置が収容される密封された容器を備えていて、上記水溶液は、浸透圧が少なくとも200mOsm/kgであり、pHが4〜9であり、加熱殺菌されている包装システム。
【請求項２】
上記両性イオン性モノマーが、第四級アンモニウム部分とリン酸塩部分を含む、請求項１に記載の包装システム。
【請求項３】
上記両性イオン性モノマーの選択が、2-メタクリルオキシエチルホスホリルコリン、1-(4-(4'-ビニルベンジルオキシブタン)-2'-(トリメチルアンモニウム)エチルホスフェート、[3-(メタクリロイルアミノ)プロピル]ジメチル(3-スルホプロピル)アンモニウム水酸化物塩、メタクリル酸ジメチルアミノエチル、硫酸ジエチル、ならびにこれらの混合物からなるグループの中からなされる、請求項１に記載の包装システム。
【請求項４】
上記親水性の非イオン性エチレン型不飽和モノマーの選択が、(アルク)アクリル酸ヒドロキシアルキル、ヒドロキシアルキルアクリルアミド、N-ビニルラクタム、(アルク)アクリル酸ポリヒドロキシル、ポリヒドロキシルアクリルアミド、ならびにこれらの混合物からなるグループの中からなされる、請求項１に記載の包装システム。
【請求項５】
上記重合生成物が上記水溶液中に0.005％w/w〜1％w/wの量で存在する、請求項１に記載の包装システム。
【請求項６】
上記水溶液が緩衝剤をさらに含む、請求項１に記載の包装システム。
【請求項７】
上記緩衝剤がホウ酸塩化合物またはリン酸塩化合物を含む、請求項６に記載の包装システム。
【請求項８】
パッケージが密封された後に加熱殺菌されている、請求項１に記載の包装システム。
【請求項９】
上記水溶液が、殺菌に有効な量の殺菌剤を含まない、請求項１に記載の包装システム。
【請求項１０】
上記水溶液が殺菌化合物を含まない、請求項１に記載の包装システム。
【請求項１１】
上記眼科用装置がコンタクト・レンズである、請求項１に記載の包装システム。
【請求項１２】
上記眼科用装置がアニオン性コンタクト・レンズである、請求項１に記載の包装システム。
【請求項１３】
生体医学装置を処理する方法であって、
（a）常に正電荷である中心を有する両性イオン性モノマーと（b）親水性の非イオン性エチレン型不飽和モノマーとを含むモノマー混合物から得られた重合生成物を含む溶液に生体医学装置を接触させる操作を含む方法。
【請求項１４】
上記生体医学装置を上記溶液に浸し；
上記生体医学装置を含む溶液をパッケージング溶液の中に包装してその生体医学装置が微生物によって汚染されるのを防止し；
その包装された溶液と生体医学装置を殺菌する操作を含む、請求項１３に記載の方法。
【請求項１５】
上記生体医学装置を上記溶液に浸し；
その生体医学装置をその溶液から取り出し；
その生体医学装置を目の中に直接配置する操作を含む、請求項１３に記載の方法。
【請求項１６】
上記生体医学装置がコンタクト・レンズである、請求項１３に記載の方法。
【請求項１７】
（a）常に正電荷である中心を有する両性イオン性モノマーと親水性の非イオン性エチレン型不飽和モノマーとからなるモノマー混合物から得られた重合生成物と、（b）その重合生成物のための眼科学的に許容可能な基剤とを含む眼科学的に許容可能な多目的溶液。
【請求項１８】
上記両性イオン性モノマーが、第四級アンモニウム部分とリン酸塩部分を含む、請求項１７に記載の眼科学的に許容可能な多目的溶液。
【請求項１９】
上記両性イオン性モノマーの選択が、2-メタクリルオキシエチルホスホリルコリン、1-(4-(4'-ビニルベンジルオキシブタン)-2'-(トリメチルアンモニウム)エチルホスフェート、[3-(メタクリルロイルアミノ)プロピル]ジメチル(3-スルホプロピル)アンモニウム水酸化物塩、メタクリル酸ジメチルアミノエチル、硫酸ジエチル、ならびにこれらの混合物からなるグループの中からなされる、請求項１７に記載の眼科学的に許容可能な多目的溶液。
【請求項２０】
１種類以上の殺菌剤をさらに含む、請求項１７に記載の眼科学的に許容可能な多目的溶液。
【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
スナック食品の調理に続いてスナック食品の表面からオイル被覆を取り除く方法であって、
オイル調理器から前記スナック食品を供給するステップと、
前記食品の流れを遠心機に受け入れ且つ前記食品が３０g以上の第一領域の重力を経験するように急速な加速モードで前記遠心機を作動するステップと、
食品を約３秒から約６秒に及ぶ時間前記領域に保つステップと、
前記食品が１gよりも小さい第二領域の重力を経験するように急速減速モードで遠心機を作動するステップと、
食品を約１秒から約４秒に及ぶ時間の間前記第二領域に保つステップと、
前記加速ステップ、前記保つステップ、前記減速ステップ及び前記保つステップの特定の作動ステップを繰り返すステップと、
前記食品の表面から取り除かれたいかなるオイルをも前記遠心機から排出するステップと、
非常に低い運動エネルギーで前記第二領域で作動されながら、食品を遠心機から排出させるステップとを含む、前記方法。
【請求項２】
前記食品を前記第一領域に置く前記急速な加速モードは、約０．１秒乃至約０．３秒の間で生じる、請求項１に記載のオイル被覆を取り除く方法。
【請求項３】
前記食品を前記第二領域に置く前記急速減速モードは、約０．５秒乃至約１．５秒の間生じる、請求項１に記載のオイル被覆を取り除く方法。
【請求項４】
前記オイル被覆食品は、前記遠心機が前記第一又は第二領域で作動するか静止しているかに関係なく前記遠心機に受け入れられる、請求項１に記載のオイル被覆を取り除く方法。
【請求項５】
前記食品は、６５g以上の前記第一領域で重力を経験する、請求項１に記載のオイル被覆を取り除く方法。
【請求項６】
前記急速減速モードは約１秒の間生じる、請求項３に記載のオイル被覆を取り除く方法。
【請求項７】
オイル調理器から出たときスナック食品から表面オイル被覆を取り除くのに役立つ準連続的遠心機であって、
直立するフレームと、
前記フレームに取り付けられたシュラウドと、
前記シュラウドに関して中心に取り付けられた駆動シャフトと、
前記シャフトに作動的に連結されたシャフト駆動手段と、
前記シュラウドの半径方向内方に取り付けられ且つ前記駆動シャフトによって回転されるように構成され、オイルの通過を可能にする孔あき壁構造を有する円筒形ドラムと、バッフル頂点が下方に突出して前記駆動シャフトに固定して取り付けられた複数の垂直方向に間隔を隔てた円錐形に形成されたバッフルと、
前記ドラムに固定的に取り付けられ、各々、食品の通過を可能にする中心開口を有する複数の垂直方向に間隔を隔てた切頭円錐形に形成された内部シュートと、
処理されるべき食品のドラムへの供給を可能にする、前記フレームに関して取り付けられた食品入力供給シュートと、
前記遠心機で処理された食品の前記ドラムからの排出を可能にする、前記フレームに関して取り付けられた食品排出シュートと、を含み、
前記シャフト駆動手段は、加速モード、高速運転モード、減速モード及び低速ドエル及び食品排出モードで前記シャフト、ドラム、バッフル及びシュートの回転を可能にするのに役立つモーター制御手段を含み、入力供給シュートに供給され、前記円錐形バッフルの一つで受けたオイル被服食品が、前記孔あきドラム壁に向かって外方に押し進め、高速運転モードの終わりまでそこに保たれ、表面オイルが、前記食品から除去され、次いで、前記食品は前記食品排出シュートに向かって下方に落ち、低運動エネルギーで遠心機を出る、ことを特徴とする前記準連続的遠心機。
【請求項８】
前記食品から除去された前記オイルを集め且つ前記遠心機から前記オイルを導くための手段が前記ドラムの外方に設けられる、請求項７に記載の準連続的遠心機。
【請求項９】
低速食品蓄積ゾーンが、前記円錐形に形成されたバッフルの少なくとも１つによって提供される、請求項７に記載の準連続的遠心機。
【請求項１０】
前記円錐形に形成されたバッフルの一つと前記切頭円錐形形状の内部シュートの一つによって構成された食品蓄積ゾーンをステージ毎に含む３つのステージ遠心機として構成される、請求項７に記載の準連続的遠心機。
【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
少なくとも１のビタミン、少なくとも１の金属イオンおよび少なくとも１の表面活性物質から少なくともなる組成物の、ヒトもしくは動物の体における創傷の治療、または皮膚、粘膜もしくは手の消毒のための薬剤を製造するための使用。
【請求項２】
前記組成物を、創傷の治療および／または創傷の消毒および／または創傷の清浄化のための創傷管理のための薬剤を製造するために使用する、請求項１記載の使用。
【請求項３】
前記組成物を、湿布または創傷用被覆、有利には包帯、絆創膏および／またはその他の創傷用ドレッシングと結合させて使用する、請求項１または２記載の使用。
【請求項４】
前記組成物が、ビタミンを１ｍＭ〜１０００ｍＭの量で、および／または金属イオンを０．１ｍＭ〜１００ｍＭの量で、および／または表面活性物質を０．１質量％〜３５質量％の量で含有しているか、かつ／または前記組成物が、０．５〜８．５の範囲のｐＨ値を有していることを特徴とする、請求項１から３までのいずれか１項記載の使用。
【請求項５】
前記組成物を、溶解した形または発泡した形で、有利には創傷洗浄液または創傷用被覆の湿潤成分として使用する、請求項１から４までのいずれか１項記載の使用。
【請求項６】
前記組成物を、ペースト状の形で、および／または半固体の形で、有利にはクリーム、ゲルまたは軟膏として使用する、請求項１から４までのいずれか１項記載の使用。
【請求項７】
前記組成物を、固体の形で、および／または乾燥させた形で、有利には粉末、顆粒、錠剤または含浸物として使用する、請求項１から４までのいずれか１項記載の使用。
【請求項８】
前記組成物が、液状の形で、および／または溶解した形で、有利には溶液、濃縮物、エマルション、分散液、フォームまたは懸濁液として存在する、請求項１から４までのいずれか１項記載の使用。
【請求項９】
少なくとも１の有効成分および慣用の担体および／または助剤を少なくとも含有する、治療薬または消毒薬において、ビタミンが１ｍＭ〜１０００ｍＭの量で、有利には１ｍＭ〜５００ｍＭの量で、好ましくは１ｍＭ〜３００ｍＭの量で、特に有利には１ｍＭ〜１００ｍＭの量で含有されており、かつ金属イオンが０．１ｍＭ〜１００ｍＭの量で、有利には０．４ｍＭ〜５０ｍＭの量で、特に１ｍＭ〜３０ｍＭの量で、特に有利には１ｍＭ〜１０ｍＭの量で含有されており、その際、有効成分は、少なくとも１のビタミン、少なくとも１の金属イオンおよび少なくとも１の表面活性物質からなる少なくとも１の組成物であることを特徴とする、少なくとも１の有効成分および慣用の担体および／または助剤を少なくとも含有する、治療薬または消毒薬。
【請求項１０】
前記組成物が、０．５〜８．５、特に１〜７、有利には２〜６、特に有利には２〜４．５の範囲のｐＨ値を有していることを特徴とする、請求項９記載の薬剤。
【請求項１１】
前記薬剤が、皮膚、粘膜、手、表面または器具のための消毒薬であることを特徴とする、請求項９または１０記載の薬剤。
【請求項１２】
表面活性物質が、０．１質量％〜３５質量％の量で、有利には０．２質量％〜３０質量％の量で、特に０．５質量％〜２０質量％の量で、特に有利には０．５質量％〜１５質量％の量で含有されていることを特徴とする、請求項９から１１までのいずれか１項記載の薬剤。
【請求項１３】
請求項９から１２までのいずれか１項記載の薬剤と関連づけられている少なくとも１の担体マトリックスを有する創傷用被覆。
【手続補正書】
【提出日】平成23年6月7日(2011.6.7)
【手続補正１】
【補正対象書類名】特許請求の範囲
【補正対象項目名】全文
【補正方法】変更
【補正の内容】
【特許請求の範囲】
【請求項１】
ａ．ウリジン又はウリジンリン酸、並びに
ｂ．ドコサヘキサエン酸及び／又はエイコサペンタエン酸
を含み、（ｉ）遅延再生機能の改善、並びに／又は（ｉｉ）被験者の遅延再生機能障害の治療及び／若しくは予防を目的とする組成物であって、被験者に経腸的に投与する、上記組成物。
【請求項２】
前記被験者のミニメンタルステート検査が２４〜２６点である、請求項１に記載の組成物。
【請求項３】
ａ．ウリジン又はウリジンリン酸、並びに
ｂ．ドコサヘキサエン酸及び／又はエイコサペンタエン酸
を含み、ミニメンタルステート検査が２４又は２５点である被験者において、記憶力の改善、及び／又は記憶機能障害の治療若しくは予防における使用を目的とする組成物であって、被験者に経腸的に投与する、上記組成物。
【請求項４】
リン脂質、コリン、ビタミンＥ、ビタミンＣ、セレン、ビタミンＢ１２、ビタミンＢ６及び葉酸を含む、請求項１から３までのいずれか一項に記載の組成物。
【請求項５】
少なくとも３週間の期間にわたり、被験者に少なくとも１日に１回、経腸的に投与される、請求項１から４までのいずれか一項に記載の組成物。
【請求項６】
１日の投与単位当たりのウリジンをウリジン一リン酸として計算して０．１〜２ｇ、並びに１日の投与単位当たりのＤＨＡ及びＥＰＡを合計で４００〜５０００ｍｇ含む、請求項１から５までのいずれか一項に記載の組成物。
【請求項７】
１００ｍｌ当たり可消化炭水化物を１から５０グラムの間、１００ｍｌ当たりタンパク質を０．５〜１０ｇ、並びに０．２及び３ｋｃａｌ／ｍｌ含む、請求項１から６までのいずれか一項に記載の組成物。
【請求項８】
液体生成物であり、２０℃で１００ｓ−１の剪断速度で測定した場合、１から１００ｍＰａ．ｓの間の粘度を有する、請求項１から７までのいずれか一項に記載の組成物。
【請求項９】
（ｉ）遅延再生機能の改善、並びに／又は（ｉｉ）被験者の遅延再生機能障害の治療及び／若しくは予防をするための組成物の製造における、
ａ．ウリジン又はウリジンリン酸、並びに
ｂ．ドコサヘキサエン酸及び／又はエイコサペンタエン酸
を含む組成物の使用であって、被験者に経腸的に投与する該組成物の、上記使用。
【請求項１０】
前記被験者のミニメンタルステート検査が２４〜２６点である、請求項９に記載の使用。
【請求項１１】
ミニメンタルステート検査が２４又は２５点の被験者において、記憶力の改善、及び／又は記憶機能障害の治療若しくは予防をするための組成物の製造における、
ａ．ウリジン又はウリジンリン酸、並びに
ｂ．ドコサヘキサエン酸及び／又はエイコサペンタエン酸
を含む組成物の使用であって、被験者に経腸的に投与する該組成物の、上記使用。
【手続補正書】
【提出日】平成23年5月18日(2011.5.18)
【手続補正１】
【補正対象書類名】特許請求の範囲
【補正対象項目名】請求項１０
【補正方法】変更
【補正の内容】
【請求項１０】
前記工程（ｉ）で用いる塩基が、アルカリ金属またはアルカリ土類金属の炭酸塩または炭酸水素塩である、請求項１〜９のいずれか一項に記載の方法。